【手続補正書】
【提出日】平成17年4月27日(2005.4.27)
【手続補正１】
【補正対象書類名】明細書
【補正対象項目名】全文
【補正方法】変更
【補正の内容】
【書類名】  明細書
【発明の名称】  加熱調理器
【特許請求の範囲】
【請求項１】  加熱手段と、前記加熱手段をオン・オフするための操作手段と、前記操作手段により前記加熱手段がオン・オフしたときにその状態に連動して換気装置を動作させるために無線でオン・オフ信号を送信する無線送信手段とを備え、前記無線送信手段は、前記加熱手段が加熱状態であるとき所定時間間隔でオン信号を送信する加熱調理器。
【請求項２】  無線送信手段は、機器の調理状態によりオン信号の送信間隔を変える請求項１に記載の加熱調理器。
【請求項３】  加熱手段は複数の火力設定を有し、前記加熱手段の火力の設定が高火力であるほど、無線送信手段による送信間隔を短くする請求項２に記載の加熱調理器。
【請求項４】  被加熱物を所定の温度に保つように加熱手段を制御する温度調整手段と、前記温度調整手段の制御温度を設定する温度設定手段を備え、無線送信手段は、前記温度調整手段により設定される温度が高いほど送信間隔を短くする請求項２または３に記載の加熱調理器。
【請求項５】  加熱手段は鍋を加熱調理する鍋加熱手段と魚等を加熱調理するロースタ加熱手段を備え、無線送信手段は、前記ロースタ加熱手段による加熱調理中はオン信号の送信間隔を短くする請求項２〜４のいずれか一項に記載の加熱調理器。
【請求項６】  加熱手段と、前記加熱手段をオン・オフあるいは火力を設定する操作手段と、前記操作手段により前記加熱手段がオン・オフしたときにその状態に連動して換気装置を動作させるために無線でオン・オフ信号を送信する無線送信手段とを備え、前記加熱手段にて加熱状態である間、前記操作手段によるオフ以外の操作がなされるたびに前記無線送信手段よりオン信号を送信する加熱調理器。
【請求項７】  加熱手段と、被加熱物を所定の温度に保つように前記加熱手段を制御する温度調整手段と、前記加熱手段をオン・オフあるいは前記温度調整手段の制御温度を設定する操作手段と、前記操作手段により前記加熱手段がオン・オフしたときにその状態に連動して換気装置を動作させるために無線でオン・オフ信号を送信する無線送信手段とを備え、前記無線送信手段は、前記加熱手段にて加熱状態である間、前記操作手段によるオフ以外の操作がなされるたびにオン信号を送信する加熱調理器。
【請求項８】  加熱手段と、前記加熱手段をオン・オフするための操作手段と、前記操作手段により前記加熱手段がオン・オフしたときにその状態に連動して換気装置を動作させるために無線でオン・オフ信号を送信する無線送信手段と、電源の瞬時的な異常および復帰を検知する電源異常検知手段を備え、前記無線送信手段は、前記加熱手段にて加熱状態であるときに、前記電源異常検知手段にて電源の異常復帰を検知しときに、オン信号を送信する加熱調理器。
【発明の詳細な説明】
【０００１】
【発明の属する技術分野】
本発明は、加熱のオン・オフに連動して換気装置を動作させるための信号を無線にて行う加熱調理器に関する。
【０００２】
【従来の技術】
従来、鍋などを加熱する加熱調理器と加熱のオン・オフに連動する換気装置について、その連動方式として有線方式により加熱調理器から換気装置に信号を送信する方式や、赤外線や電波などを用いて無線で加熱調理器から換気装置に信号を送信する方式のものが知られている。特に近年、連動のための有線工事の必要のない無線方式が採用されている。以下、無線方式により連動させるための加熱調理器の動作について説明する。
【０００３】
図９は従来の加熱調理器とそのオン・オフに連動する換気装置の構成ブロック図である。図９において、１は一般家庭の単相三線の商用電源、２は２００Ｖで動作する加熱調理器、３は加熱調理器２が設置されている台所などの換気を行うための換気装置であるレンジフードであり１００Ｖで動作する。更に４は加熱調理器２において鍋などを加熱する加熱手段、５は加熱手段４を制御する加熱制御手段、６は加熱のオン・オフや加熱手段４の火力を設定する操作手段、７は操作手段６により加熱のオン・オフが操作されたときに赤外線にて信号を送信する無線送信手段である。
【０００４】
また、８はレンジフード３において加熱調理器２からの無線信号を受信する無線受信手段、９は換気を行うための換気ファン、１０は換気ファンを制御する換気ファン制御手段である。
【０００５】
以上のように構成された加熱調理器２とレンジフード３について、その連動動作について図１０のタイミングチャートを用いて説明する。
【０００６】
図１０の（ａ）は加熱手段４の加熱状態を表している。同じく（ｂ）はレンジフード３の動作を表している。（ｃ）は無線送信手段７からのオン信号、（ｄ）は無線送信手段７からのオフ信号であり、ここでは無線送信手段７からのオンおよびオフともｈｉｇｔｈとｌｏｗの信号としているが、実際には符号化された異なる信号を用いて送信している。そして加熱手段４がオンになると同時に、無線送信手段７から１回オン信号が出力され、同様に加熱手段４がオフになると同時に１回オフ信号が出力される。これら無線送信手段７からの信号を無線受信手段８が受けて、レンジフード３がオン・オフの動作を行う。
【０００７】
【発明が解決しようとする課題】
しかしながら、前記従来の加熱調理器では無線手段によるオン・オフ信号の送信は、加熱開始や加熱終了時にのみ送信されるので、レンジフードの無線送信手段が受信に失敗したら、レンジフードが加熱調理器に連動して動作することはできない。また、加熱調理器とレンジフードの電源電圧が異なる場合など、電源に停電が起こったときの復帰レベルが異なり、どちらかの器機のみリセットが掛かり動作を停止してしまう可能性がある。
【０００８】
【課題を解決するための手段】
前記従来の課題を解決するために、本発明の加熱調理器は加熱手段にて加熱状態である間、所定時間間隔で無線送信手段よりオン信号を送信する加熱調理器とするものである。
【０００９】
【発明の実施の形態】
請求項１記載の発明は、加熱手段と、前記加熱手段をオン・オフするための操作手段と、前記操作手段により前記加熱手段がオン・オフしたときにその状態に連動して換気装置を動作させるために無線でオン・オフ信号を送信する無線送信手段とを備え、前記加熱手段にて加熱状態である間、所定時間間隔で前記無線送信手段よりオン信号を送信する加熱調理器とするものであり、連動させる換気装置へのオン信号を１度のみ送信するのではなく定期的に送信するので、換気装置が初回の信号を受信できない場合にも比較的早い段階で動作させるができる。また、停電等により機器がリセットし動作が停止した場合でも加熱調理器が加熱状態であれば、再度自動的に換気装置を動作させることができる。
【００１０】
請求項２記載の発明は、請求項１の構成において、無線送信手段は、機器の調理状態によりオン信号の送信間隔を変えるものであり、連動する換気装置が初回の信号を受信できない場合や停電等によりリセットし動作が停止した場合でも、確実に動作させることができるとともに、特に加熱状態にもかかわらず連動する換気装置が停止した時、調理状況により停止時間を短くすることができる。
【００１１】
請求項３記載の発明は、請求項２の構成において、加熱手段は複数の火力を有し、前記加熱手段の火力が高火力であるほど、無線送信手段による送信間隔を短くするものであり、高火力で行う炒め物調理などは煙や蒸気が多く発生する調理で、連動する換気装置の停止時間を短くし換気不足を防止することができる。
【００１２】
請求項４記載の発明は、請求項２または３の構成において、被加熱物を所定の温度に保つように加熱手段を制御する温度調整手段と、前記温度調整手段の制御温度を設定する温度設定手段を備え、無線送信手段は、前記温度調整手段により設定される温度が高いほど送信間隔を短くするものであり、揚げ物調理などにおいて油煙は油温が高いほど多く発生しやすいが、そのような場合に連動する換気装置の停止時間を短くし換気不足を防止することができる。
【００１３】
請求項５記載の発明は、請求項２ないし４に記載したいずれかの構成において、加熱手段は鍋を加熱調理する鍋加熱手段と魚等を加熱調理するロースタ加熱手段を各々少なくとも一つは備え、前記ロースタ加熱手段による加熱調理中は、無線送信手段によるオン信号の送信間隔を短くするものであり、魚焼きなど煙が多く発生する調理で、連動する換気装置の停止時間を短くし換気不足を防止することができる。
【００１４】
請求項６記載の発明は、加熱手段と、前記加熱手段をオン・オフあるいは火力を設定する操作手段と、前記操作手段により前記加熱手段がオン・オフしたときにその状態に連動して換気装置を動作させるために無線でオン・オフ信号を送信する無線送信手段とを備え、前記加熱手段にて加熱状態である間、前記操作手段によるオフ以外の操作がなされるたびに前記無線送信手段よりオン信号を送信するものであり、使用者が加熱開始後すぐに火力設定を変更するような動作を行った場合、換気装置が初回のオン信号を受信できなくても火力設定を行っている間に信号を受信し、換気装置を動作させることができる。
【００１５】
請求項７記載の発明は、加熱手段と、被加熱物を所定の温度に保つように前記加熱手段を制御する温度調整手段と、前記加熱手段をオン・オフあるいは前記温度調整手段の制御温度を設定する操作手段と、前記操作手段により前記加熱手段がオン・オフしたときにその状態に連動して換気装置を動作させるために無線でオン・オフ信号を送信する無線送信手段とを備え、前記加熱手段にて加熱状態である間、前記操作手段によるオフ以外の操作がなされるたびに前記無線送信手段よりオン信号を送信するものであり、使用者が加熱開始後すぐに温度調整の設定温度を変更するような動作を行った場合、換気装置が初回のオン信号を受信できなくても温度設定を行っている間に信号を受信し、換気装置を動作させることができる。
【００１６】
請求項８記載の発明は、加熱手段と、前記加熱手段をオン・オフするための操作手段と、前記操作手段により前記加熱手段がオン・オフしたときにその状態に連動して換気装置を動作させるために無線でオン・オフ信号を送信する無線送信手段と、電源の瞬時的な停電および復帰を検知する停電検知手段を備え、前記加熱手段にて加熱状態である間で、前記電源異常検知手段にて電源の異常復帰を検知しときに、前記無線送信手段よりオン信号を送信するものであり、換気装置側が異常復帰できずにリセットし動作が停止した場合に、再度換気装置を動作させることができる。
【００１７】
【実施例】
（実施例１）
以下本発明の第１の実施例について説明する。図１は連動する加熱調理器と換気装置の構成ブロック図である。なお、本実施例において、前述の従来例と同一の構成には同じ符号を付し、その説明は省略する。
【００１８】
本実施例の特徴的構成は、新たにリピート送信手段１１を設け、操作手段６により加熱が開始されると繰り返しレンジフード３にオン信号を送信するように、無線送信手段７を制御する。以下リピート送信手段１１と無線送信手段７による連動信号の送信タイミングについて図２を用いて説明する。
【００１９】
図２の（２−ａ）は加熱手段４の加熱状態を表している。同じく（２−ｂ）はレンジフード３の動作を表している。（２−ｃ）は無線送信手段７からのオン信号、（３−ｄ）は無線送信手段７からのオフ信号であり、ここでは無線送信手段７からのオンおよびオフともｈｉｇｔｈとｌｏｗの信号としているが、実際には符号化された異なる信号を用いて送信している。そして加熱手段４がオンになるとリピート送信手段１１が無線送信手段７を制御し、所定時間間隔（実施例では１分）で繰り返しオン信号が送信される。これにより仮にレンジフード３が最初のオン信号を受信失敗しても、１分後に再度オン信号を受信できれば動作させることができる。
【００２０】
一般に、加熱開始後すぐには煙などが発生することは少ないので、万が一ユーザがレンジフード３が動作していないことに気づかなくても、煙が多く発生するまでにはレンジフード３を動作させることができる。
【００２１】
また、電源異常等で加熱調理器２は動作し続けるが、レンジフード３はリセットするような場合、再度レンジフード３を動作させることができる。
【００２２】
尚、無線送信手段７は赤外線としたが、紫外線や電波などをもちいてもその効果に何ら違いはない。
【００２３】
（実施例２）
以下本発明の第２の実施例について説明する。図３は連動する加熱調理器と換気装置の構成ブロック図である。なお、本実施例において、前述の従来例および実施例と同一の構成には同じ符号を付し、その説明は省略する。
【００２４】
本実施例の特徴的構成は、調理モード選択手段１２と送信間隔変更手段１３を新たに設け、調理モード選択手１２は、炒め物や煮込み調理を行う加熱モードと、揚げ物調理を行う揚げ物モードと、お湯などを沸かす湯沸かしモードを選択するものとする。更に送信間隔変更手段１３は調理モード選択手段１２にて選択されたモードに応じてあらかじめ記憶されている送信間隔にリピート送信手段１１の間隔を変更する。
【００２５】
図４は具体的調理モードの時の送信タイミングを示している。ここで調理モードの内、加熱モードが選択されているときには、他の調理モードが選択されている時よりも短い送信間隔で無線送信手段７より信号が送信されるようになっている。これにより、もっとも調理時の煙がでやすいモードほど送信間隔を短くし、レンジフード３が動作しない状況を防ぐことが可能である。更に煙りのでにくい調理時は多少レンジフード３が動作しない状況が生じても問題ないレベルに設定できるので、無駄な信号やそれにまつわる消費電力を押さえることができる。
【００２６】
（実施例３）
以下本発明の第３の実施例について説明する。図５は連動する加熱調理器と換気装置の構成ブロック図である。なお、本実施例において、図５は前述の従来例と図３に加熱手段４の火力を調整する火力調整手段１４を設けたものである。一般に加熱モードにおいて炒め物などは高火力、煮込み調理などは低火力で行わるので、火力調整手段１４により高火力に設定されている場合の方が煙が発生しやすい。
【００２７】
よって、高火力設定の時ほど送信間隔を短くし、レンジフード３が動作しない状況を防ぐことが可能である。更に煙りのでにくい低下力設定時は多少レンジフード３が動作しない状況が生じても問題ないレベルに設定できるので、無駄な信号やそれにまつわる消費電力を押さえることができる。
【００２８】
（実施例４）
以下本発明の第４の実施例について説明する。図６は連動する加熱調理器と換気装置の構成ブロック図である。なお、本実施例において、図６は前述の従来例と図３に被加熱物（図示せず）の温度を検知する温度検知手段１５と、温度検知手段１５により検知された温度が所定の温度になるように加熱手段４を制御する温度調整手段１６と、温度調整手段１６の温度を設定する温度設定手段１７を設けたものである。一般に揚げ物モードにおいては、油の温度を一定に保つために温度調整手段１６により加熱手段４が制御される。
【００２９】
油は温度が高くなるほど油煙が発生する。すなわち温度設定手段１７により設定されてている温度が高いほど送信間隔を短くし、レンジフード３が動作しない状況を防ぐことが可能である。更に煙りのでにくい低温度設定時は多少レンジフード３が動作しない状況が生じても問題ないレベルに設定できるので、無駄な信号やそれにまつわる消費電力を押さえることができる。
【００３０】
（実施例５）
以下本発明の第５の実施例について説明する。図７は連動する加熱調理器と換気装置の構成ブロック図である。なお、本実施例において、図７は前述の従来例と図３に新たにロースタ加熱手段１８を備えたものである。これにより、調理モード選択手段１２は加熱モード、揚げ物モード、湯沸かしモードに加えロースタモードからの選択になる。
【００３１】
ロースタモードでは魚などの調理が行われるため、他のモードよりも煙の発生が多く除煙の必要性は高くなる。よって、ロースタ加熱手段１８の使用時は加熱手段３による調理モード時よりも送信間隔を短くし、レンジフード３が動作しない状況を防ぐことが可能である。
【００３２】
（実施例６）
以下本発明の第６の実施例について説明する。本実施例において、その構成については実施例３と同じであり説明は省略する。
【００３３】
加熱調理器２は操作手段６で加熱手段４をオンすると無線送信手段７はオン信号を送信する。そして、使用者が火力調整手段１４により火力をアップ、あるいはダウンされる毎に、無線送信手段７はオン信号を送信する。
【００３４】
使用者は調理開始時に所望の火力に設定する事が多く、レンジフード３が無線送信手段７の初回のオン信号を受信失敗しても、使用者が火力調整手段１４にて火力を設定している間にレンジフード３を動作させることができる。
【００３５】
（実施例７）
以下本発明の第７の実施例について図６をもちいて説明する。使用者が調理モード選択手段１２により揚げ物モードを選択し加熱手段４をオンすると無線送信手段７はオン信号を送信する。そして、使用者が温度設定手段１７により設定温度をアップ、あるいはダウンされる毎に、無線送信手段７はオン信号を送信する。使用者は調理開始時に所望の温度に設定する事が多く、レンジフード３が無線送信手段７の初回のオン信号を受信失敗しても、使用者が温度設定手段１７にて温度を設定している間にレンジフード３を動作させることができる。
【００３６】
（実施例８）
以下本発明の第８の実施例について説明する。図８は連動する加熱調理器と換気装置の構成ブロック図である。なお、本実施例において、前述の従来例および前述の実施例と同一の構成には同じ符号を付し、その説明は省略する。
【００３７】
本実施例の特徴的構成は、新たに電源の状態を検知する電源異常検知手段１９を設けたものである。以下電源異常検知手段１９の動作について説明する。
【００３８】
電源異常検知手段１９は加熱調理器２に供給される電源が瞬間的に低下あるいは停電になったときは、加熱制御手段５を制御し加熱手段４をオフする。そして、電源が正常に復帰したら、復帰前の状態が加熱状態であるなら加熱制御手段５を制御し加熱手段４による加熱を開始する。更に無線送信手段７によりオン信号を送信する。これにより、仮に電源異常によりレンジフード３がリセットし動作が停止した場合でも、加熱調理器２の加熱動作が再開すれば、再度レンジフード３を動作させることができる。
【００３９】
【発明の効果】
以上のように本発明によれば、加熱調理器に換気装置を無線にて連動させる場合にオン信号を１度のみ送信するのではなく定期的に送信するので、換気装置が初回の信号を受信できない場合でも比較的早い段階で動作させるができる。また停電等により機器がリセットし動作が停止した場合でも加熱調理器が加熱状態であれば、再度自動的に換気装置を動作させる加熱調理器を提供することができる。
【図面の簡単な説明】
【図１】
本発明の第１の実施例である加熱調理器の構成を示すブロック図
【図２】
同、無線送信手段の信号送信タイミング図
【図３】
本発明の第２の実施例である加熱調理器の構成を示すブロック図
【図４】
同、無線送信手段の信号送信タイミング図
【図５】
本発明の第３と第６の実施例である加熱調理器の構成を示すブロック図
【図６】
本発明の第４と第７の実施例である加熱調理器の構成を示すブロック図
【図７】
本発明の第５の実施例である加熱調理器の構成を示すブロック図
【図８】
本発明の第８の実施例である加熱調理器の構成を示すブロック図
【図９】
従来の加熱調理器の構成を示すブロック図
【図１０】
同、無線送信手段の信号送信タイミング図
【符号の説明】
４  加熱手段
６  操作手段
７  無線送信手段
１１  リピート送信手段
１２  調理モード選択手段
１３  送信間隔変更手段
１４  火力調整手段
１６  温度調整手段
１７  温度設定手段
１８  ロースタ加熱手段
１９  電源異常検知手段